(57)【特許請求の範囲】
【請求項１】
映像データと、前記映像データを出力する時刻を示す映像時刻とを取得する第１取得手段と、
前記映像データと同期している音声データと、前記音声データを出力する時刻を示す音声時刻とを取得する第２取得手段と、
前記映像データ及び前記音声データと同期し、前記映像データ及び前記音声データとは異なるデジタル信号データと、前記デジタル信号データを出力する時刻を示すデータ時刻とを取得する第３取得手段と、
取得した映像時刻に対応する時間に、取得した前記映像データを表示手段に出力する第１出力手段と、
取得した音声時刻に対応する時間に、取得した前記音声データを音声出力手段に出力する第２出力手段と、
前記デジタル信号データを外部に出力可能なアプリケーションが参照可能なメモリ領域に、取得した前記デジタル信号データを出力して記憶させる第３出力手段と、
取得した前記データ時刻に対応する時間に、前記アプリケーションが参照可能なオブジェクトであって、前記オブジェクトの状態として、前記メモリ領域に記憶されている前記デジタル信号データを出力することを前記アプリケーションに指示する際に設定される第１状態と、前記アプリケーションが前記メモリ領域に記憶されている前記デジタル信号データを取得した際に設定される第２状態とを有するオブジェクトの状態を、前記第２状態から前記第１状態に変化させることにより、前記メモリ領域から前記デジタル信号データを取得して前記表示手段に出力することを前記アプリケーションに指示する指示手段と、
を備えることを特徴とする出力制御装置。
【請求項２】
前記映像データ、前記音声データ、及び前記デジタル信号データは、それぞれ、車両に搭載された撮影手段によって撮影された映像データ、前記車両に搭載された録音手段によって録音された音声データ、及び前記車両に設けられたセンサによって測定されたデジタル信号データであり、
前記第１出力手段は、取得した前記映像データが示す映像を前記表示手段に含まれる第１領域に表示させ、
前記指示手段は、前記メモリ領域から前記デジタル信号データを取得して、当該デジタル信号データが示す情報を前記表示手段に含まれる第２領域に表示させることを特徴とする、
請求項１に記載の出力制御装置。
【発明の詳細な説明】
【技術分野】
【０００１】
本発明は、出力制御装置に関する。
【背景技術】
【０００２】
従来、映像データと、映像データとは異なるデータとを同期して記録することが行われている。例えば、特許文献１には、映像データと音声データとを同期して記録し、映像データに対応する映像の表示と、音声データに対応する音声の出力とを同期して行う装置が開示されている。
【先行技術文献】
【特許文献】
【０００３】
【特許文献１】特開２００４−１７３０８３号公報
【発明の概要】
【発明が解決しようとする課題】
【０００４】
ところで、車両の設計開発においては、車両において撮影された映像や車両において録音された音声と、車両に設けられた各種センサが測定したデジタル信号データとを同期して記録しておき、当該映像、音声及びデジタル信号データを同期して出力させることで車両に関する各種の分析を行うことが有用である。
【０００５】
しかしながら、特許文献１に記載されている装置は、映像及び音声を同期することについて開示されているものの、映像及び音声とは異なるデジタル信号データを、映像及び音声に同期することについて考慮されておらず、映像、音声及びデジタル信号データを同期して出力することができないという問題があった。
【０００６】
そこで、本発明はこれらの点に鑑みてなされたものであり、映像、音声及びデジタル信号データを同期して出力することができる出力制御装置を提供することを目的とする。
【課題を解決するための手段】
【０００７】
本発明の出力制御装置は、映像データと、前記映像データを出力する時刻を示す映像時刻とを取得する第１取得手段と、前記映像データと同期している音声データと、前記音声データを出力する時刻を示す音声時刻とを取得する第２取得手段と、前記映像データ及び前記音声データと同期し、前記映像データ及び前記音声データとは異なるデジタル信号データと、前記デジタル信号データを出力する時刻を示すデータ時刻とを取得する第３取得手段と、取得した映像時刻に対応する時間に、取得した前記映像データを表示手段に出力する第１出力手段と、取得した音声時刻に対応する時間に、取得した前記音声データを音声出力手段に出力する第２出力手段と、前記デジタル信号データを外部に出力可能なアプリケーションが参照可能なメモリ領域に、取得した前記デジタル信号データを出力して記憶させる第３出力手段と、取得した前記データ時刻に対応する時間に、前記メモリ領域から前記デジタル信号データを取得して前記表示手段に出力することを前記アプリケーションに指示する指示手段と、を備える。
【０００８】
このようにすることで、出力制御装置は、データ時刻に対応する時間に、デジタル信号データを取得して出力させることをアプリケーションに指示することにより、アプリケーションを介して、デジタル信号データを映像及び音声に同期した状態で出力させることができる。また、出力制御装置は、アプリケーションに対して、データ時刻に対応する時間にデジタル信号データの出力を指示するので、アプリケーション側において、指示を受けたことに応じてデジタル信号データを出力させる機能を設けるのみで、当該デジタル信号データを映像及び音声に同期させることができる。
【０００９】
前記指示手段は、取得した前記データ時刻に、前記アプリケーションが参照可能なオブジェクトが示す状態を、前記メモリ領域に記憶されているデータが更新されたことを示す状態に変化させることにより、前記デジタル信号データを取得して出力することを前記アプリケーションに指示してもよい。
このようにすることで、オブジェクトの状態に基づいてデジタル信号データを出力するという単純な機能をアプリケーションに設けることで、出力制御装置が、当該デジタル信号データを映像及び音声に同期させることができる。
【００１０】
前記映像データ、前記音声データ、及び前記デジタル信号データは、それぞれ、車両に搭載された撮影手段によって撮影された映像データ、前記車両に搭載された録音手段によって録音された音声データ、及び前記車両に設けられたセンサによって測定されたデジタル信号データであり、前記第１出力手段は、取得した前記映像データが示す映像を前記表示手段に含まれる第１領域に表示させ、前記指示手段は、前記メモリ領域から前記デジタル信号データを取得して、当該デジタル信号データが示す情報を前記表示手段に含まれる第２領域に表示させてもよい。
このようにすることで、出力制御装置は、車両に設けられた撮影手段によって撮影された映像と、当該車両に設けられたセンサによって測定されたデジタル信号データが示す情報とを表示手段に同時に表示させることができる。これにより、出力制御装置のユーザは、当該映像及びデジタル信号データが示す情報を同時に確認しながら、車両に関する各種の分析を効率的に行うことができる。
【発明の効果】
【００１１】
本発明によれば、映像、音声及びデジタル信号データを同期して出力することができるという効果を奏する。
【図面の簡単な説明】
【００１２】
【図１】出力制御装置の概要を示す図である。
【図２】出力制御装置の構成を示す図である。
【図３】映像データが示す映像の出力に係るフローチャートである。
【図４】制御部がデジタル信号データの出力をアプリケーションに通知する処理に係るフローチャートである。
【図５】アプリケーションがデジタル信号データを出力する処理に係るフローチャートである。
【発明を実施するための形態】
【００１３】
［出力制御装置１の概要］
以下、本発明の一実施形態に係る出力制御装置１について説明する。図１は、出力制御装置１の概要を示す図である。出力制御装置１は、車両（不図示）において撮影された映像や車両において録音された音声と、車両に設けられた各種センサ等が測定したデジタル信号データとを同期した状態で記録しておき、当該映像、音声及びデジタル信号データを同期して出力させる装置である。
【００１４】
出力制御装置１は、図１に示すように、記憶部１０と、ディスプレイ２０と、スピーカ３０と、一時記憶部４０と、制御部５０とを備える。また、出力制御装置１は、アプリケーションプログラム（以下、単に「アプリケーション」という。）６０を実行して、アプリケーション６０が備える機能を実現する。
【００１５】
制御部５０は、映像データと、当該映像データと同期している音声データを記憶部１０から取得する。制御部５０は、当該映像データ及び音声データと同期し、映像データ及び音声データとは異なるデジタル信号データを記憶部１０から取得する。ここで、デジタル信号データは、例えば、車両に設けられた車速センサが検出した車速を示すデータ、車両に設けられた加速度センサが検出した車両の加速度を示すデータ、車両に設けられている各種スイッチの状態を示すデータ等である。
【００１６】
制御部５０は、取得した映像データを、当該映像データの出力時刻にディスプレイ２０に出力するとともに、取得した音声データを、当該音声データの出力時刻にスピーカ３０に出力する。制御部５０は、取得したデジタル信号データを、出力制御装置１において実行されているアプリケーション６０が参照可能な一時記憶部４０に記憶させる。制御部５０は、当該デジタル信号データの出力時刻に、アプリケーション６０に対して、一時記憶部４０に記憶されているデジタル信号データのディスプレイ２０への出力を指示する。
アプリケーション６０は、出力を指示されたことに応じて、一時記憶部４０に記憶されているデジタル信号データを取得し、当該デジタル信号データをディスプレイ２０に出力する。
【００１７】
このようにすることで、出力制御装置１は、映像データ、音声データ、及びデジタル信号データを同期して出力することができる。また、出力制御装置１は、車両において撮影された映像データが示す映像、及び車両における各種計測によって取得されたデジタル信号データに対応する情報をディスプレイ２０に同時に表示させることができる。したがって、出力制御装置１のユーザは、表示されている映像や情報に基づいて、車両に関する各種の分析を効率的に行うことができる。
【００１８】
［出力制御装置１の構成］
続いて、出力制御装置１の構成について説明する。図２は、出力制御装置１の構成を示す図である。
【００１９】
記憶部１０は、ＲＡＭやＲＯＭ等を含んでいる。記憶部１０は、制御部５０を機能させるための各種のプログラムを記憶する。例えば、記憶部１０は、アプリケーション６０を記憶する。また、記憶部１０は、映像音声データ記憶部１１と、デジタル信号データ記憶部１２とを備える。
【００２０】
映像音声データ記憶部１１は、複数の映像音声ファイルを記憶する。映像音声ファイルには、車両に搭載されたカメラが撮影した映像を示す映像データと、車両に搭載された録音装置が録音した音声を示し、当該映像データに同期している音声データとが複数含まれている。
【００２１】
映像音声ファイルに含まれている複数の映像データのそれぞれには、当該映像データを出力する時刻を示す映像時刻が関連付けられており、映像音声ファイルには、映像時刻が早い順に映像データが格納されている。映像時刻は、例えば、車両に搭載されたカメラが撮影を開始してからの経過時間を示す情報である。
映像音声ファイルに含まれている複数の音声データのそれぞれには、当該音声データを出力する時刻を示す音声時刻が関連付けられており、映像音声ファイルには、音声時刻が早い順に音声データが格納されている。音声時刻は、例えば、車両に搭載された録音装置が録音を開始してからの経過時間を示す情報である。
【００２２】
デジタル信号データ記憶部１２は、複数のデジタル信号用ファイルを記憶する。複数のデジタル信号用ファイルのそれぞれは、一の映像音声ファイルと関連付けられている。例えば、関連する映像音声ファイル及びデジタル信号用ファイルのファイル名には、これらのファイルを作成した日時を示す文字列や、当該ファイルに対応する車両の識別情報等が含まれている。デジタル信号用ファイルには、車両に搭載されたセンサが計測した情報を示すデジタル信号データが複数含まれている。複数のデジタル信号データのそれぞれには、当該デジタル信号データを出力する時刻を示すデータ時刻が関連付けられており、デジタル信号用ファイルには、データ時刻が早い順にデジタル信号データが格納されている。データ時刻は、例えば、車両に搭載されたセンサが計測を開始してからの経過時間を示す情報である。
【００２３】
一時記憶部４０は、ＲＡＭ等を含んでおり、データを一時的に記憶可能なメモリ領域を有している。一時記憶部４０は、制御部５０の制御により、デジタル信号データを一時的に記憶するメモリ領域４１を割り当てる。また、一時記憶部４０は、制御部５０の制御により、イベントオブジェクト４２を一時的に記憶する。メモリ領域４１及びイベントオブジェクト４２は、アプリケーション６０が参照可能である。
【００２４】
制御部５０は、ＣＰＵ等を含んでいる。制御部５０は、第１取得部５１と、第１出力部５２と、第２取得部５３と、第２出力部５４と、第３取得部５５と、第３出力部５６と、指示部５７とを備える。制御部５０は、これらの機能を並列して実行することにより、映像データが示す映像、音声データが示す音声及びデジタル信号データが示す情報を同期して出力する。
【００２５】
なお、制御部５０が備えるこれらの機能は、例えば、映像及び音声に係る処理を行うＡＰＩ（Application Programming Interface）によって実現される。映像及び音声に係る処理を行うＡＰＩとしては、例えば、Ｍｉｃｒｏｓｏｆｔ（登録商標）のＤｉｒｅｃｔＳｈｏｗ（登録商標）が挙げられる。例えば、制御部５０が備える第１取得部５１、第１出力部５２、第２取得部５３、第２出力部５４、第３取得部５５、第３出力部５６、及び指示部５７の機能は、ＤｉｒｅｃｔＳｈｏｗにおける１以上のフィルタグラフによって実現される。
【００２６】
第１取得部５１は、映像音声データ記憶部１１に記憶されている映像音声ファイルを参照して、映像データと、当該映像データを出力する時刻を示す映像時刻とを取得する。具体的には、第１取得部５１は、出力制御装置１に設けられている入力部（不図示）を介して、出力制御装置１のユーザから映像音声ファイルの指定を受け付けると、当該映像音声ファイルに含まれている映像データと映像時刻とを取得する。第１取得部５１は、早い映像時刻に関連付けられている映像データから順に、映像データ及び映像時刻を取得する。
【００２７】
第１出力部５２は、第１取得部５１が取得した映像時刻に対応する時間に、第１取得部５１が取得した映像データをディスプレイ２０に出力することにより、当該映像データが示す映像をディスプレイ２０に含まれる第１領域に表示させる。
【００２８】
具体的には、第１出力部５２は、ＤｉｒｅｃｔＳｈｏｗにおいて音声を出力するために予め設けられているビデオレンダラフィルタを含んで構成されている。第１出力部５２は、制御部５０が生成する基準クロックに基づいて、取得された映像時刻に対応する時間である、映像データの表示時刻を特定する。そして、第１出力部５２は、取得された映像データに、特定した表示時刻を付与してビデオレンダラフィルタに入力する。ビデオレンダラフィルタは、基準クロックに基づいて表示時刻が到来したことを検知すると、映像データが示す映像をディスプレイ２０の表示領域のうち、映像データが示す映像を表示する領域である第１領域に表示させる。
【００２９】
第２取得部５３は、映像音声データ記憶部１１に記憶されている映像音声ファイルのうち、入力部を介して指定された映像音声ファイルを参照して、音声データと、当該音声データを出力する時刻を示す音声時刻とを取得する。第２取得部５３は、早い音声時刻に関連付けられている音声データから順に、音声データ及び音声時刻を取得する。
【００３０】
第２出力部５４は、第２取得部５３が取得した音声時刻に対応する時間に、第２取得部５３が取得した音声データに対応する音声信号をスピーカ３０に出力することにより、スピーカ３０から音声データに対応する音声を出音させる。
【００３１】
具体的には、第２出力部５４は、ＤｉｒｅｃｔＳｈｏｗにおいて音声を出力するために予め設けられているオーディオレンダラフィルタを含んで構成されている。第２出力部５４は、制御部５０が生成する基準クロックに基づいて、取得された音声時刻に対応する時間である、音声データが示す音声の出音時刻を特定する。そして、第２出力部５４は、取得された音声データに、特定した出音時刻を付与してオーディオレンダラフィルタに入力する。オーディオレンダラフィルタは、基準クロックに基づいて出音時刻が到来したことを検知すると、音声データに対応する音声をスピーカ３０に出音させる。
【００３２】
第３取得部５５は、デジタル信号データ記憶部１２に記憶されているデジタル信号用ファイルを参照して、デジタル信号データと、当該デジタル信号データを出力する時刻を示すデータ時刻とを取得する。具体的には、第３取得部５５は、第１取得部５１が映像音声ファイルの指定を受け付けると、当該映像音声ファイルと関連するデジタル信号用ファイルを参照して、デジタル信号データとデータ時刻とを取得する。第３取得部５５は、早いデータ時刻に関連付けられているデジタル信号データから順に、デジタル信号データ及びデータ時刻を取得する。
【００３３】
第３出力部５６は、一時記憶部４０にメモリ領域４１が割り当てられていない場合、初期処理として、一時記憶部４０にメモリ領域４１を割り当てる処理を実行する。そして、第３出力部５６は、第３取得部５５がデジタル信号データを取得したことに応じて、デジタル信号データを外部に出力可能なアプリケーション６０が参照可能なメモリ領域４１に、取得したデジタル信号データを出力して記憶させる。
【００３４】
指示部５７は、一時記憶部４０にアプリケーション６０が参照可能なイベントオブジェクト４２が記憶されていない場合、初期処理として、イベントオブジェクト４２を一時記憶部４０に記憶させる処理を実行する。
イベントオブジェクト４２は、メモリ領域４１に記憶されているデジタル信号データが更新されたか否かを、アプリケーション６０に通知するためのオブジェクトである。イベントオブジェクト４２には、メモリ領域４１に記憶されているデジタル信号データの状態を示す状態情報が含まれている。イベントオブジェクト４２に含まれる状態情報が示す状態には、デジタル信号データが更新されたことを示すシグナル状態と、デジタル信号データが更新されていないことを示す非シグナル状態とが存在する。
【００３５】
指示部５７は、第３取得部５５が取得したデータ時刻に、メモリ領域４１からデジタル信号データを取得して、ディスプレイ２０に出力することをアプリケーション６０に指示する。具体的には、指示部５７は、第３取得部５５が取得したデータ時刻に、イベントオブジェクト４２が示す状態をシグナル状態に変化させることにより、デジタル信号データを取得して、当該デジタル信号データを出力することをアプリケーション６０に指示する。ここで、指示部５７は、デジタル信号データが示す情報をディスプレイ２０に含まれる第２領域に表示させることを指示する。
【００３６】
このようにすることで、アプリケーション６０がイベントオブジェクト４２の状態に基づいてデジタル信号データを出力するという単純な機能を備えるのみで、出力制御装置１が、当該デジタル信号データを映像及び音声に同期させることができる。
【００３７】
アプリケーション６０は、コンピュータを第４取得部６１、及び第４出力部６２として機能させるプログラムである。なお、図１及び図２に示す例では、制御部５０と、アプリケーション６０とを分けて記載したが、実際には、出力制御装置１においてアプリケーション６０が実行されると、制御部５０が、第４取得部６１及び第４出力部６２として機能する。
【００３８】
第４取得部６１は、イベントオブジェクト４２に記憶されている状態情報を監視し、イベントオブジェクト４２が示す状態が、非シグナル状態からシグナル状態に変化したことを検知する。第４取得部６１は、非シグナル状態からシグナル状態に変化したことを検知すると、メモリ領域４１からデジタル信号データを取得する。第４取得部６１は、デジタル信号データを取得した後、イベントオブジェクト４２が示す状態を非シグナル状態に変化させる。
【００３９】
第４出力部６２は、第４取得部６１がデジタル信号データを取得したことに応じて、当該デジタル信号データが示す情報を、ディスプレイ２０に含まれる第２領域に表示させる。これにより、ディスプレイ２０には、車両において撮影された映像と、車両において各種センサが測定することによって取得されたデジタル信号データが示す情報とが同時に表示される。なお、第２領域は、映像データを表示するための第１領域と異なる領域であってもよく、第１領域の一部の領域であってもよい。
【００４０】
［映像の出力に係るフローチャート］
続いて、出力制御装置１における処理の流れについて説明する。最初に、映像の出力に係る処理の流れについて説明する。図３は、映像の出力に係る処理の手順を示すフローチャートである。
まず、第１取得部５１は、映像音声データ記憶部１１から、出力制御装置１のユーザによって指定された映像音声ファイルに含まれる映像データと、当該映像データに関連付けられている映像時刻とを取得する（Ｓ１０）。
【００４１】
続いて、第１出力部５２は、Ｓ１０において取得された映像時刻に基づいて、取得された映像データが示す映像をディスプレイ２０に含まれる第１領域に表示させる（Ｓ２０）。
続いて、第１取得部５１は、取得する映像データが有るか否かを判定する（Ｓ３０）。第１取得部５１は、取得する映像データが有ると判定すると、Ｓ１０に処理を移し、取得する映像データが無いと判定すると、本フローチャートに係る処理を終了する。
音声の出力に係る処理の流れは、図３に示す処理の流れと同様であるので、説明を省略する。
【００４２】
［デジタル信号データの出力に係るフローチャート］
続いて、デジタル信号データの出力に係る処理の流れについて説明する。図４は、制御部５０がデジタル信号データの出力をアプリケーション６０に通知する処理に係るフローチャートである。
【００４３】
まず、第３出力部５６及び指示部５７は、初期処理を実行する（Ｓ１１０）。具体的には、第３出力部５６及び指示部５７は、一時記憶部４０にメモリ領域４１を割り当てる処理、及び一時記憶部４０にイベントオブジェクト４２を記憶させる処理を実行する。
【００４４】
続いて、第３取得部５５は、デジタル信号データ記憶部１２に記憶されているデジタル信号用ファイルを参照して、デジタル信号データと、当該デジタル信号データを出力する時刻を示すデータ時刻とを取得する（Ｓ１２０）。
続いて、第３出力部５６は、Ｓ１２０において取得されたデジタル信号データをメモリ領域４１に記憶させる（Ｓ１３０）。
【００４５】
続いて、指示部５７は、Ｓ１２０において取得されたデータ時刻に対応する時間が到来したか否かを判定する（Ｓ１４０）。指示部５７は、データ時刻に対応する時間が到来したと判定すると、Ｓ１５０に処理を移し、データ時刻に対応する時間が到来していないと判定すると、Ｓ１４０を再実行する。
Ｓ１５０において、指示部５７は、イベントオブジェクト４２が示す状態をシグナル状態に更新することにより、アプリケーション６０に、デジタル信号データの出力を指示する。
【００４６】
続いて、第３取得部５５は、取得するデジタル信号データが有るか否かを判定する（Ｓ１６０）。第３取得部５５は、取得するデジタル信号データが有ると判定すると、Ｓ１２０に処理を移し、取得するデジタル信号データが無いと判定すると、本フローチャートに係る処理を終了する。
【００４７】
図５は、アプリケーション６０がデジタル信号データを出力する処理に係るフローチャートである。
まず、第４取得部６１は、イベントオブジェクト４２に記憶されている状態情報を監視し、イベントオブジェクト４２が示す状態が、非シグナル状態からシグナル状態に変化したか否かを判定する（Ｓ２１０）。第４取得部６１は、非シグナル状態からシグナル状態に変化したと判定すると、Ｓ２２０に処理を移し、メモリ領域４１に記憶されているデジタル信号データを取得する。第４取得部６１は、非シグナル状態からシグナル状態に変化していないと判定すると、Ｓ２１０を再実行する。
【００４８】
第４出力部６２は、第４取得部６１が取得したデジタル信号データに対応する情報をディスプレイ２０に含まれる第２領域に表示させる（Ｓ２３０）。
第４取得部６１は、イベントオブジェクト４２が示す状態を非シグナル状態に変化させる（Ｓ２４０）。
第４取得部６１は、アプリケーション６０が実行中であるかを判定し（Ｓ２５０）、アプリケーション６０の実行が継続されている場合には、Ｓ２１０に処理を移す。アプリケーション６０の実行が終了している場合、本フローチャートに係る処理は終了する。
【００４９】
［本実施形態における効果］
以上説明したように、出力制御装置１は、映像データ及び音声データと同期し、当該映像データ及び当該音声データとは異なるデジタル信号データと、当該デジタル信号データを出力する時刻を示すデータ時刻とを取得し、当該デジタル信号データを外部に出力可能なアプリケーション６０が参照可能なメモリ領域４１に、取得したデジタル信号データを出力して記憶させ、取得したデータ時刻に対応する時間に、メモリ領域４１からデジタル信号データを取得してディスプレイ２０に出力することをアプリケーション６０に指示する。
【００５０】
このようにすることで、出力制御装置１は、データ時刻に対応する時間に、デジタル信号データを取得して出力させることをアプリケーション６０に指示することにより、アプリケーション６０を介して、デジタル信号データを映像及び音声に同期した状態で出力させることができる。また、出力制御装置１は、アプリケーション６０に対して、データ時刻に対応する時間にデジタル信号データの出力を指示するので、アプリケーション６０側において、指示を受けたことに応じてデジタル信号データを出力させる機能を設けるのみで、当該デジタル信号データを映像及び音声に同期させることができる。
【００５１】
また、出力制御装置１の設計者は、映像及び音声に係る処理を行う既存のＡＰＩに対して第３取得部５５及び第３出力部５６に関する機能の追加と、デジタル信号データ出力用のアプリケーション６０の開発とを行うのみで、出力制御装置１において映像、音声及びデジタル信号データを同期して出力させることができる。したがって、出力制御装置１の設計者は、最小限の機能追加及び開発によって、出力制御装置１において映像、音声及びデジタル信号データを同期して出力させることができる。
【００５２】
また、出力制御装置１は、取得した映像データが示す映像をディスプレイ２０に含まれる第１領域に表示させるとともに、アプリケーション６０に、メモリ領域４１から取得したデジタル信号データが示す情報をディスプレイ２０に含まれる第２領域に表示させる。
このようにすることで、出力制御装置１は、車両に設けられたカメラによって撮影された映像と、当該車両に設けられたセンサが測定することによって取得したデジタル信号データが示す情報とをディスプレイ２０に同時に表示させることができる。これにより、出力制御装置１のユーザは、当該映像及びデジタル信号データが示す情報をディスプレイ２０上で同時に確認しながら、車両に関する各種の分析を効率的に行うことができる。
【００５３】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００５４】
１  出力制御装置
１０  記憶部
１１  映像音声データ記憶部
１２  デジタル信号データ記憶部
２０  ディスプレイ
３０  スピーカ
４０  一時記憶部
４１  メモリ領域
４２  イベントオブジェクト
５０  制御部
５１  第１取得部
５２  第１出力部
５３  第２取得部
５４  第２出力部
５５  第３取得部
５６  第３出力部
５７  指示部
６０  アプリケーション
６１  第４取得部
６２  第４出力部
【図１】
0006536233.tif 000002
【図２】
0006536233.tif 000003
【図３】
0006536233.tif 000004
【図４】
0006536233.tif 000005
【図５】
0006536233.tif 000006